(57)【要約】【課題】  掛布団類、敷布団類の寝具のずれやずり落ちを防ぐ圧迫感や窮屈感を伴わない着脱が容易な寝具類のずれ防止具を提供する。【解決手段】  本発明は、伸縮性のない長い帯状体に長さ調整具４を設け、その両端に取り外しが可能に接続具６を施した１本の帯状体１と、伸縮性のある短い帯状体に長さ調整具５を設け、その先端に止め具３を施した４本の帯状体２を接続具６の両端に各２本繋ぎ合わせ構成された寝具類のずれ防止具７を掛布団類の上又は、敷布団類の下に横方向左右に渡し、掛布団類又は、敷布団類の両端に止め具３で固定する。また、帯状体１から接続具６を取り外すことができる構造としているため、伸縮性のない帯状体１から接続具６を取り外し帯状体２で掛布団類と敷布団類の横両端を止め具３で固定したり、寝具類のずれ防止具７を複数組み合わせ、Ｔ字型、十字型、Ｈ型などに形成し使用することもできる寝具類のずれやずり落ちを防ぐ寝具類のずれ防止具である。【選択図】            図１
2005198824.tif 000002
【特許請求の範囲】
【請求項１】
伸縮性のない長い帯状体に長さ調整具４を設け、その両端に取り外しが可能に接続具６を施した１本の帯状体１と、伸縮性のある短い帯状体に長さ調整具５を設け、その先端に止め具３を施した４本の帯状体２を接続具６の両端に各２本繋ぎ合わせ構成された寝具類のずれやずり落ちを防ぐことを特徴とする寝具類のずれ防止具。
【発明の詳細な説明】
【技術分野】
【０００１】
本発明は、掛布団類及び敷布団類の寝具類のずれやずり落ちを防ぐ、圧迫感や窮屈感を伴わない着脱が容易な寝具類のずれ防止具に関するものである。
【背景技術】
【０００２】
従来は、掛布団類を単に敷布団類の上に載置されて使用されているため、就寝中の寝返りなどで敷布団類から外れてしまうことが多い。そのため就寝中に掛布団類の一部しか体にかかっていない状態となり、風邪をひくなど体調を崩す原因となっていた。そこで、掛布団類のずれやずり落ちを防ぐものとして、ベッドサイドに柵を設ける、掛布団類カバーに取り付けられた布を敷布団類あるいは、マットレスの下に差し込む、又は開口部を設けた袋状になっている足元カバーで、マットレス、ベッドパット、掛布団類を足元部分において、全て包み込むなどの手段があった。
【発明の開示】
【発明が解決しようとする課題】
【０００３】
しかし、これらは次のような問題点があった。ベッドサイドに柵を設ける手段については、殆ど効果は見られず尚且つ圧迫感を感じざるを得ない。
【０００４】
また、掛布団類カバーに取り付けられた布を敷布団類あるいは、マットレスの下に差し込む手段や開口部を設けた袋状になっている足元カバーで掛布団類を足元部分において全て包み込む手段などは、足元部分を一度に出し入れするという力仕事を要し着脱しづらく足元部分の窮屈感を感じざるを得ない。
【０００５】
本発明は、上記問題点に鑑みて提案されたものであって、製造が簡単で着脱が容易な、寝具類のずれやずり落ちを防ぐ寝具類のずれ防止具を提供することを目的とする。
【課題を解決するための手段】
【０００６】
本発明は、伸縮性のない長い帯状体に長さ調整具４を設け、その両端に取り外しが可能に接続具６を施した１本の帯状体１と、伸縮性のある短い帯状体に長さ調整具５を設け、その先端に止め具３を施した４本の帯状体２を接続具６の両端に各２本繋ぎ合わせ構成された寝具類のずれ防止具７を掛布団類の上又は、敷布団類の下に横方向左右に渡し、掛布団類又は、敷布団類の両端に止め具３で固定する。また、帯状体１から接続具６を取り外すことができる構造としているため、伸縮性のない帯状体１から接続具６を取り外し帯状体２で掛布団類と敷布団類の横両端を止め具３で固定したり、寝具類のずれ防止具７を複数組み合わせ、Ｔ字型、十字型、Ｈ型などに形成し使用することもできる寝具類のずれやずり落ちを防ぐ寝具類のずれ防止具である。
【発明の効果】
【０００７】
以上のごとく本発明の寝具類のずれ防止具は、掛布団類又は、敷布団類のずれやずり落ちを防止する寝具類のずれ防止具であって、少なくとも掛布団類の上又は、敷布団類の下の横方向左右に渡す帯状体と掛布団類又は、敷布団類の端に固定される固定部とを備えているので、固定部により掛布団類又は、敷布団類の適当部位に固定するだけで掛布団類又は、敷布団類のずれやずり落ちを防止することができる。したがって、掛布団類又は、敷布団類の幅や厚みに関係なく使用でき、窮屈さや圧迫感が起こらないように掛布団類又は、敷布団類のずれやずり落ちを防止することができる。
【発明を実施するための最良の形態】
【０００８】
以下に本発明の実施の形態を詳細に説明する。
【０００９】
本実施形態の寝具類のずれ防止具７は、布製あるいはビニール製などの素材でできた幅約１センチから約１５センチ、長さ約５０センチから約１５０センチのベルト状の伸縮性のない帯状体に金属性あるいはプラスチック製でできた長さ調整具４を設け、その両端に取り外しが可能に金属性あるいはプラスチック製でできた接続具６を施した１本の帯状体１とゴム製でできた幅約１センチから約１５センチ、長さ約５センチから約２５センチのベルト状の伸縮性のある帯状体に金属性あるいは、プラスチック製でできた長さ調整具５を設け、その先端に金属性あるいはプラスチック製でできた止め具３を施した４本の帯状体２を接続具６の両端に各２本繋ぎ合わせ構成されている。伸縮性のない帯状体１は、掛布団類の上又は、敷布団類の下に横方向左右に渡す。掛布団類の上に渡す場合は、掛布団類の両端と敷布団類の両端を止め具３で固定し、敷布団類の下に渡す場合は、掛布団類の両端を止め具３で固定する。また、帯状体１から接続具６を取り外すことができる構造としているため、伸縮性のない帯状体１から接続具６を取り外し帯状体２で掛布団類と敷布団類の横両端を止め具３で固定したり、寝具類のずれ防止具７を複数組み合わせ、Ｔ字型、十字型、Ｈ型などに形成し使用することもできる。伸縮性のある帯状体２は、就寝中の体の動きを妨げないゆとりを作り、同時に無理な引っ張りによる寝具類の傷みを防ぐ。また動きを得るため更に適度なゆとりを与えることができる。
【００１０】
伸縮性のない帯状体１は、掛布団類又は、敷布団類の幅の違いに対応し長さ調整具４により範囲を調整する。伸縮性のある帯状体２は、掛布団類又は、敷布団類の厚みの違いに対応し長さ調整具５により、更に寝具をしっかり固定させたい場合やゆとりを持たせたい場合などの調整をしやすくする。
【００１１】
伸縮性のある短い帯状体に長さ調整具５を設け、その先端に止め具３を施した帯状体２を接続具６の両端に各２本繋ぎ合わせ４本設けることにより複数の掛布団類や掛布団類と敷布団類を同時に固定できる。また、伸縮性のない帯状体１から接続具６を取り外すことによって、自由に帯状体２で掛布団類と敷布団類の横両端を止め具３で固定できる。
【００１２】
なお、長さ調整具４・５及び接続具６及び止め具３は、金属製やプラスチック製の既製の部品を使用しており止め具３は、固定時にロックできる構造となっている。
【００１３】
本発明は、以上のような構造で、これを使用するときには以下のように行う。あらかじめ、ずれやずり落ちを防止する寝具類の固定したい場所を決め、寝具類のずれ防止具７の伸縮性のない帯状体１及び伸縮性のある帯状体２の長さを調整し掛布団類の上又は、敷布団類の下に横方向左右に渡し、伸縮性のある帯状体２に施した止め具３により掛布団類又は、敷布団類の適当部位の両端を固定する。また、帯状体１から接続具６を取り外すことができる構造としているため、伸縮性のない帯状体１から接続具６を取り外し帯状体２で掛布団類と敷布団類の横両端を止め具３で固定したり、寝具類のずれ防止具７を複数組み合わせ、Ｔ字型、十字型、Ｈ型などに形成し使用することもできる
【００１４】
本発明の実施の形態は、寝具類のずれ防止具７を敷布団類の下に設置する場合は、図２、図３のように寝具類のずれ防止具７を横方向左右に渡し伸縮性のない帯状体１の長さ調整具４により敷布団類の幅に合わせ設置し、伸縮性のある帯状体２の長さ調整具５により、敷布団類及び掛布団類の厚みに合わせ調整し、掛布団類１枚の場合は、図４の通り実施し、掛布団類２枚の場合は、図６の通り実施する。また、セットした布団あるいは、ベッドの中にスムースな出入りを希望する場合は、図５のように寝具類のずれ防止具７を斜めに設置し実施することによって可能にする事もできる。さらに掛布団類の上に設置する場合は、図７のように掛布団類及び敷布団類の両端に帯状体２の止め具３で固定し実施する。また、帯状体１から接続具６を取り外すことができる構造としているため、伸縮性のない帯状体１から接続具６を取り外し帯状体２で掛布団類と敷布団類の横両端を止め具３で固定したり、寝具類のずれ防止具７を複数組み合わせ、Ｔ字型、十字型、Ｈ型などに形成し使用することもできる。
【００１５】
本発明の寝具類のずれ防止具７は、掛布団類又は、敷布団類の幅や厚みに関係なく使用することができ、窮屈さや圧迫感が起こらないように、掛布団類又は、敷布団類のずれやずり落ちを防止することができる。さらに、材料が安価で、製造方法も容易であるため、廉価に提供できる。
【００１６】
なお、上記実施の形態では、寝具類のずれ防止具７の構成を伸縮性のない長い帯状体に長さ調整具４を設け、その両端に取り外しが可能に接続具６を施した１本の帯状体１と伸縮性のある短い帯状体に長さ調整具５を設け、その先端に止め具３を施した４本の帯状体２を接続具６の両端に各２本繋ぎ合わせた構成としたが、先端に止め具３を施した帯状体２は、これに限定されるものではなく少なくとも掛布団類又は、敷布団類の両端に、各1箇所固定できる２本で構成されてもよいし、それ以上の構成でもよい。
【００１７】
また、寝具類のずれ防止具７は、伸縮性のない帯状体１と、伸縮性のある帯状体２を接続具６により繋ぎ合わせた構成としたが、これに限定されるものではなく、縫合による構成でもよい。
【００１８】
また、長さ調節具４・５は必ずしも必要なものではなく、予め、掛布団類又は、敷布団類のサイズで最適な長さに形成すれば、ずれやずり落ちは防止できる。また止め具３は、固定時にロックできる構造に限定されるものではなく、確実に固定できるものであればよい。
【００１９】
また、帯状体１及び帯状体２は、伸縮性のない帯状体と伸縮性のある帯状体により形成したものであるが、これに限定されない。掛布団類又は、敷布団類に取り付けた際に掛布団類又は、敷布団類にずれやずり落ちしたりするのを防止できればよいので、伸縮性のない帯状体だけで形成してもよいし、また伸縮性のある帯状態だけでもよい。
【図面の簡単な説明】
【００２０】
【図１】本実施形態の寝具類のずれ防止具の正面図
【図２】本実施形態の寝具類のずれ防止具の設置状態を示す説明図
【図３】本実施形態の寝具類のずれ防止具の設置状態を示す説明図
【図４】本実施形態の一例を示す斜視図
【図５】本実施形態の一例を示す斜視図
【図６】本実施形態の一例を示す斜視図
【図７】本実施形態の一例を示す斜視図
【符号の説明】
【００２１】
１  伸縮性のない帯状体
２  伸縮性のある帯状体
３  止め具
４  長さ調整具（伸縮性のない帯状体）
５  長さ調整具（伸縮性のある帯状体）
６  接続具
７  寝具類のずれ防止具
Ａ  敷布団
Ｂ  マットレス
Ｃ  枕
Ｄ  ベッド
Ｅ  掛布団
Ｆ  肌掛布団（毛布）
【図１】
2005198824.tif 000003
【図２】
2005198824.tif 000004
【図３】
2005198824.tif 000005
【図４】
2005198824.tif 000006
【図５】
2005198824.tif 000007
【図６】
2005198824.tif 000008
【図７】
2005198824.tif 000009